(57)【要約】【課題】簡単な操作でバルーン３０を膨張、収縮させることが可能なで、かつ安全性に優れたバルーンカテーテル１０及びバルーンカテーテル用バルブ部材４０を提供する。【解決手段】注射器からカテーテル本体２０に空気を圧入、バルーン３０が所要の体積まで膨張したら、弾性連結片４３の弾力に抗してバルブ部材４０の上側ヘッジ片４２の上側指当て部４９を指で押し下げ、弾力性係止片４４の係止部４９に上側エッジ片４２の先端部を係止する。弾力性係止片４４の係止部４９に上側エッジ片４２の先端部が係止すると、上側エッジ片４２のエッジ部４６と下側エッジ片４１のエッジ部４５によってカテーテル本体２０が挟まれ、カテーテル本体２０が押し潰されて気体通路２１が塞がれるので、バルーン３０の膨張が保たれる。【選択図】図２
2012130552.tif 000002
【特許請求の範囲】
【請求項１】
弾力性を有するカテーテル本体と、カテーテル本体の先端側に設けられカテーテル本体の基端側開口から供給される流体によって膨張可能なバルーンと、膨張したバルーン内の流体がバルーン外部へ流出をするのを防止するバルブ部材を備えたバルーンカテーテルであって、
前記バルブ部材が、下側エッジ部を形成した下側エッジ片、上側エッジ部を形成した上側エッジ片、カテーテル本体を挿通可能な第１通孔を有し下側エッジ部と上側エッジ部がカテーテル本体が挿通可能な間隔を保って対向するように下側エッジ片の一端と上側エッジ片の一端を連結する弾力性連結片、及びカテーテル本体が挿通可能な第２通孔を有するとともに下側エッジ片の他端側に立設され、上側エッジ片の他端が係止可能な弾力性係止片とを備え、
第１通孔、両エッジ部間及び第２通孔にカテーテル本体を挿通してバルブ部材をカテーテル本体の基端部とバルーンとの中間部に装着し、
上側エッジ片の他端を押し下げて弾力性係止片に係止したとき両エッジ部でカテーテル本体を押し潰すように構成したことを特徴とするバルーンカテーテル。
【請求項２】
前記下側エッジ片の他端に下側指当て部を形成するとともに、前記弾力性係止片の先端部に上側指当て部を形成し、上側指当て部と下側指当て部を指で掴んで上側指当て部を押し下げることにより、上側エッジ片と弾力性係止片との係止を解除するように構成したことを特徴とする請求項１に記載のバルーンカテーテル。
【請求項３】
前記上側エッジ片の表面に滑り止め用凸条を形成したことを特徴とする請求項１に記載のバルーンカテーテル。
【請求項４】
前記上側指当て部の表面に滑り止め用凸条を形成したことを特徴とする請求項２に記載のバルーンカテーテル。
【請求項５】
前記下側エッジ片、上側エッジ片および弾力性係止片をプラスチックで一体成形したことを特徴とする請求項１に記載のバルーンカテーテル。
【請求項６】
弾力性を有するカテーテル本体の先端側に設けられカテーテル本体の基端側開口から供給される流体によって膨張したバルーン内の流体がバルーン外部へ流出をするのを防止するバルーンカテーテル用バルブ部材であって、
下側エッジ部を形成した下側エッジ片、上側エッジ部を形成した上側エッジ片、カテーテル本体を挿通可能な第１通孔を有し下側エッジ部と上側エッジ部がカテーテル本体が挿通可能な間隔を保って対向するように下側エッジ片の一端と上側エッジ片の一端を連結する弾力性連結片、及びカテーテル本体が挿通可能な第２通孔を有するとともに下側エッジ片の他端側に立設され、上側エッジ片の他端が係止可能な弾力性係止片とを備え、
第１通孔、両エッジ部間及び第２通孔にカテーテル本体を挿通してバルブ部材をカテーテル本体の基端部とバルーンの中間部に装着し、
上側エッジ片の他端を押し下げて弾力性係止片に係止したとき両エッジ部でカテーテル本体を押し潰すように構成したことを特徴とするバルーンカテーテル用バルブ部材。
【請求項７】
前記下側エッジ片の他端に下側指当て部を形成するとともに、前記弾力性係止片の先端部に上側指当て部を形成し、上側指当て部と下側指当て部を指で掴んで上側指当て部押し下げることにより、上側エッジ片と弾力性係止片との係止を解除するように構成したことを特徴とする請求項６に記載のバルーンカテーテル用バルブ部材。
【請求項８】
前記上側エッジ片の表面に滑り止め用凸条を形成したことを特徴とする請求項６に記載のバルーンカテーテル用バルブ部材。
【請求項９】
前記上側指当て部の表面に滑り止め用凸条を形成したことを特徴とする請求項７に記載のバルーンカテーテル用バルブ部材。
【請求項１０】
前記下側エッジ片、上側エッジ片、弾力性連結片および弾力性係止片をプラスチックで一体成形したことを特徴とする請求項６に記載のバルーンカテーテル用バルブ部材。
【発明の詳細な説明】
【技術分野】
【０００１】
本発明はバルーンカテーテル及びバルーンカテーテル用バルブ部材に関し、より詳しくは弾力性を有するカテーテル本体と、カテーテル本体の先端側に設けられカテーテル本体の基端側開口から供給される流体によって膨張可能なバルーンと、膨張したバルーン内の流体がバルーン外部へ流出するのを防止するバルブ部材を備えたバルーンカテーテルに関する。
【背景技術】
【０００２】
近時、内視鏡を用いた食道や胃等の上部消化器官の検査方法として、管径の細い極細径内視鏡を経口に代えて鼻腔経由で上部消化器官へ挿入する経鼻内視鏡検査方法が実用に供されている。
経鼻内視鏡検査方法を行う場合、管径の細い内視鏡であっても、これを鼻腔に挿入すれば、被験者に苦痛を与えることになる。そこで、この苦痛を軽減するため、内視鏡の挿入に先立って、バルーンカテーテルを用いて鼻腔を拡張する処置がとられる。
【０００３】
バルーンカテーテルを使って鼻腔を拡張するには、カテーテル本体の先端側に設けたバルーンを収縮した状態で鼻腔に挿入した後、カテーテル本体の基端側開口から空気をバルーンに供給してバルーンを膨張させる。そして、バルブ部材で膨張したバルーンから空気が排出されないようにしてバルーンを一定時間膨張状態に保つことにより鼻腔を拡張させている。
【０００４】
この種のバルーンカテーテルの一形式として、バルーンを有底円筒状体と、有底円筒状体の基端開口を除く外周面を覆うバルーン部材で構成し、有底円筒状体に形成した貫通孔を通してバルーン部材と有底円筒状体を連通し、有底円筒状体の基端開口内に弾性変形可能な半球状の弁体を密着させ、カテーテル本体の針状の先端部を弁体の通孔に挿通したバルーンカテーテルが開示されている。
【０００５】
このバルーンカテーテルによれば、カテーテル本体の針状先端部を弁体の通孔に挿通し注射器等でカテーテル本体に空気を圧送すると、空気が有底円筒状体を通ってバルーン部材内に供給され、これに伴いバルーン部材が膨張する。カテーテル本体の針状先端部を弁体から引き抜くと弾性変形によって弁体の通孔が閉じてバルーン部材が膨張状態に保たれる。
【先行技術文献】
【特許文献】
【０００６】
【特許文献１】特開２００７−２４４６８４号公報
【発明の概要】
【発明が解決しようとする課題】
【０００７】
ところで、バルーンカテーテルを使って鼻腔が拡張した後、鼻腔内で膨張しているバルーンを鼻腔から引き抜くにはバルーン内の空気を抜いてバルーンを収縮させる必要がある。
上記した従来のバルーンカテーテルでは、バルーン部材の空気を抜くためにカテーテル本体の針状先端部を再度弁体の通孔に挿入して、有底円筒状体とカテーテル本体を連通さ、カテーテル本体を通しててバルーン内の空気を外部へ排出している。しかし、鼻腔内にバルーンを挿入した状態で針状先端部を弁体の細径の通孔に正しく挿通することは面倒な作業となり、甚だ使い勝手が悪い。また、カテーテル本体の針状先端部で被験者を傷つけるおそれがある。
本発明はかかる問題点に鑑み、簡単な操作でバルーンを膨張、収縮させることが可能なで、かつ安全性に優れたバルーンカテーテル及びバルーンカテーテル用バルブ部材を提供することを目的とする。
【課題を解決するための手段】
【０００８】
請求項１に記載の発明は、弾力性を有するカテーテル本体と、カテーテル本体の先端側に設けられカテーテル本体の基端側開口から供給される流体によって膨張可能なバルーンと、膨張したバルーン内の流体がバルーン外部へ流出をするのを防止するバルブ部材を備えたバルーンカテーテルであって、
前記バルブ部材が、下側エッジ部を形成した下側エッジ片、上側エッジ部を形成した上側エッジ片、カテーテル本体を挿通可能な第１通孔を有し下側エッジ部と上側エッジ部がカテーテル本体が挿通可能な間隔を保って対向するように下側エッジ片の一端と上側エッジ片の一端を連結する弾力性連結片、及びカテーテル本体が挿通可能な第２通孔を有するとともに下側エッジ片の他端側に立設され、上側エッジ片の他端が係止可能な弾力性係止片とを備え、
第１通孔、両エッジ部間及び第２通孔にカテーテル本体を挿通してバルブ部材をカテーテル本体の基端部とバルーンとの中間部に装着し、
上側エッジ片の他端を押し下げて弾力性係止片に係止したとき両エッジ部でカテーテル本体を押し潰すように構成したことを特徴とする。
【０００９】
請求項２に記載の発明は、請求項１に記載のバルーンカテーテルにおいて、前記下側エッジ片の他端に下側指当て部を形成するとともに、前記弾力性係止片の先端部に上側指当て部を形成し、上側指当て部と下側指当て部を指で掴んで上側指当て部を押し下げることにより、上側エッジ片と弾力性係止片との係止を解除するように構成したことを特徴とする。
【００１０】
請求項３に記載の発明は、請求項１に記載のバルーンカテーテルにおいて、前記上側エッジ片の表面に滑り止め用凸条を形成したことを特徴とする。
【００１１】
請求項４に記載の発明は、請求項２に記載のバルーンカテーテルにおいて、前記上側指当て部の表面に滑り止め用凸条を形成したことを特徴とする。
【００１２】
請求項５に記載の発明は、請求項１に記載のバルーンカテーテルにおいて、前記下側エッジ片、上側エッジ片および弾力性係止片をプラスチックで一体成形したことを特徴とする。
【００１３】
請求項６に記載の発明は、弾力性を有するカテーテル本体の先端側に設けられカテーテル本体の基端側開口から供給される流体によって膨張したバルーン内の流体がバルーン外部へ流出をするのを防止するバルーンカテーテル用バルブ部材であって、
下側エッジ部を形成した下側エッジ片、上側エッジ部を形成した上側エッジ片、カテーテル本体を挿通可能な第１通孔を有し下側エッジ部と上側エッジ部がカテーテル本体が挿通可能な間隔を保って対向するように下側エッジ片の一端と上側エッジ片の一端を連結する弾力性連結片、及びカテーテル本体が挿通可能な第２通孔を有するとともに下側エッジ片の他端側に立設され、上側エッジ片の他端が係止可能な弾力性係止片とを備え、
第１通孔、両エッジ部間及び第２通孔にカテーテル本体を挿通してバルブ部材をカテーテル本体の基端部とバルーンの中間部に装着し、
上側エッジ片の他端を押し下げて弾力性係止片に係止したとき両エッジ部でカテーテル本体を押し潰すように構成したことを特徴とする。
【００１４】
請求項７に記載の発明は、請求項６に記載のバルーンカテーテル用バルブ部材において、前記下側エッジ片の他端に下側指当て部を形成するとともに、前記弾力性係止片の先端部に上側指当て部を形成し、上側指当て部と下側指当て部を指で掴んで上側指当て部押し下げることにより、上側エッジ片と弾力性係止片との係止を解除するように構成したことを特徴とする。
【００１５】
請求項８に記載の発明は、請求項６に記載のバルーンカテーテル用バルブ部材において、前記上側エッジ片の表面に滑り止め用凸条を形成したことを特徴とする。
【００１６】
請求項９に記載の発明は、請求項７に記載のバルーンカテーテル用バルブ部材において、前記上側指当て部の表面に滑り止め用凸条を形成したことを特徴とする。
【００１７】
請求項１０に記載の発明は、請求項６に記載のバルーンカテーテル用バルブ部材において、前記下側エッジ片、上側エッジ片、弾力性連結片および弾力性係止片をプラスチックで一体成形したことを特徴とする。
【発明の効果】
【００１８】
請求項１及び請求項６に記載の発明によれば、鼻腔等の生体腔内にバルーンを挿入し、カテーテル本体の基端開口から注射器等を使って空気等の流体をバルーンに供給してバルーンを膨張させることができる。そして、上側エッジ片の他端を押し下げて弾力性係止片に係止する。これにより上側エッジ部と下側エッジ部でカテーテル本体が押し潰されるので、バルーンからカテーテル本体を通って外部へ流体が流出しなくなり、バルーンの膨張が保たれる。
鼻腔内等で膨張したバルーンを収縮させるには、上側エッジ片と弾力性係止片との係止を解除する。これにより、上側エッジ片と下側エッジ片が離間し、押し潰されていたカテーテル本体が弾性力で復元するので、バルーン内の流体がカテーテル本体を通って排出され、バルーンが収縮する。
上側エッジ片の他端と弾力性係止片とのに係止によってバルーンの膨張を保つことができ、上側エッジ片の他端と弾力性係止片とのに係止を解除することによりバルーンを収縮させることができ、バルーンカテーテルの使い勝手が良い。
【００１９】
請求項２及び請求項７に記載の発明によれば、上側指当て部と下側指当て部を指で掴んで上側指当て部を押し下げることにより、上側エッジ片と弾力性係止片との係止を解除できるので、より使い勝手が良くなる。
【００２０】
請求項３及び請求項８に記載の発明によれば、上側エッジ片の表面に滑り止め用凸条を形成したので、上側エッジ片の他端を押し下げて弾力性係止片に係止するとき指が滑り難く、より一層使い勝手がより良くなる。
【００２１】
請求項４及び請求項９に記載の発明によれば、上側指当て部と下側指当て部を指で掴んで弾力性係止片との係止を解除するとき指が滑り難く、より一層使い勝手が良くなる。
【００２２】
請求項５及び請求項１０に記載の発明によれば、下側エッジ片、上側エッジ片および弾力性係止片をプラスチックで一体成形するので、バルブ部材の構造が簡素になり製造コストを低減できる。
【図面の簡単な説明】
【００２３】
【図１】本発明の一実施例に係るバルーンカテーテル及びバルーンカテーテル用バルブ部材を示す分解斜視図である。
【図２】同バルーンカテーテル及び開いた状態のバルーンカテーテル用バルブ部材を示す断面図である。
【図３】同バルーンカテーテル及び閉じた状態のバルーンカテーテル用バルブ部材を示す断面図である。
【図４】本発明の一実施例に係るバルーンカテーテル用バルブ部材を示す斜視図である。
【実施例】
【００２４】
本発明の一実施例に係るバルーンカテーテルを図１、図２及び図３に示す。当該バルーンカテーテル１０は鼻腔用バルーンカテーテルであって、カテーテル本体２０とバルーン３０及びバルブ部材４０とを備えている。
【００２５】
カテーテル本体２０はポリ塩化ビニル製で両端が開口し、内部に気体通路２１が形成されている。カテーテル本体２０の基端側開口には円錐台形のスリーブ２２が接続されている。カテーテル本体２０の基端側がスリーブ２２の先細りの先端開口部に挿入され、熱溶着によりカテーテル本体２０とスリーブ２２が気密に接続されている。
【００２６】
バルーン３０は両端を開口に形成したポリ塩化ビニル製のバルーン本体３１と、ポリ塩化ビニル製の栓体３２とから成り、バルーン本体３１の先端開口に栓体３２を挿入し、熱溶着によって栓体３２をバルーン本体３１の先端開口に固着して先端開口が気密に塞がれている。
【００２７】
バルーン本体３１の基端側開口からカテーテル本体２０の先端部が栓体３２に当接するまで挿入され、バルーン本体３１の基端側開口部近辺３３が熱溶着によってカテーテル本体２０に固着され、カテーテル本体２０とバルーン３０が気密に接続されている。カテーテル本体２０のバルーン３０に挿入されている部分にはカテーテル本体２０の内外を貫通する微小通孔２３が形成され、該微小通孔２３によってカテーテル本体２０の気体通路２１とバルーン３０の内部空間が連通している。
【００２８】
バルブ部材４０はＡＢＳ樹脂製で、図４に詳細を示すように下側エッジ片、上側エッジ片４２、弾力性連結片４３及び弾力性係止片４４から成り、各片４１，４２，４３，４４が一体成形されている。
【００２９】
下側エッジ片４１は断面略三角形を有し、三角形の頂部に相当する部位が下側エッジ部４５として形成されている。同様に、上側エッジ片４２も断面略三角形を有し、三角形の頂部に相当する部位が上側エッジ部４６として形成されている。そして、下側エッジ部４５と上側エッジ部４６が所定の間隔を保って対向するように下側エッジ片４１の一端と上側エッジ片４２の一端が弾力性連結片４３で連結されている。この弾力性連結片４３には収縮状態にあるバルーンが挿通可能な第１通孔４７が形成されている。下側エッジ片４１の反弾力性連結片側端部には下側指当て部４８が形成され、該下側指当て部４８の表面には微細な滑り止め用凸条が複数本形成されている。また、上側ヘッジ片４２の反弾力性連結片側端部の表面にも微細な滑り止め用凸条４２ａが複数本形成されている。
【００３０】
弾力性係止片４４は下側エッジ片４１の反弾力性連結片側に形成した下側指当て部４８の裏面に立設されている。この弾力性係止片４４には上側エッジ片４２の先端部が係止可能な係止部４９と、上側指当て部５０が形成されるとともに、収縮状態のバルーン３０が挿通可能な第２通穴５１が第１通孔４７に対向するように形成されている。そして、上側指当て部５０の表面には微細な滑り止め用凸条５２が複数本形成されている。
【００３１】
バルブ部材４０は図２に示すように、第１通孔４７、両エッジ部４５，４６間及び第２通孔５１に収縮状態のバルーン３０を挿通し、カテーテル本体２０のスリーブ２２とバルーン３０との中間部に装着される。
【００３２】
本実施例に係るバルーンカテーテル１０の構造は以上の通りであって、以下にその使用方法を説明する。図２に示すように収縮状態にあるバルーン３０を鼻腔に挿入し、スリーブ２２に注射器を接続し、注射器からカテーテル本体２０に空気を圧入する。空気は気体通路２１を通り、微少通孔２３からバルーン３０内部に流入し、これに伴いバルーン３０が膨張する。バルーン３０が所要の体積まで膨張したら、弾性連結片４３の弾力に抗してバルブ部材４０の上側ヘッジ片４２の上側指当て部４９を指で押し下げ、弾力性係止片４４の係止部４９に上側エッジ片４２の先端部を係止する。図３に示すように、弾力性係止片４４の係止部４９に上側エッジ片４２の先端部が係止すると、上側エッジ片４２のエッジ部４６と下側エッジ片４１のエッジ部４５によってカテーテル本体２０が挟まれ、カテーテル本体２０が押し潰される。そのため気体通路２１が塞がれるので、バルーン３０からカテーテル本体２０を通って外部へ空気が流出しなくなり、バルーン３０の膨張が保たれる。そして、膨張したバルーン３０により鼻腔が拡張される。
【００３３】
鼻腔内からバルーン３０を抜き出すときは、弾力性係止４４の上側指当て部５０と下側エッジ片４１の下側指当て部４８を指で摘み、弾力性係止片４４の弾力に抗して上側指当て部５０を押し下げる。これにより、図２に示すように上側エッジ片４２と弾力性係止片４４との係止を解除される。それに伴い、上側エッジ片４２と下側エッジ片４１が離間し、押し潰されていたカテーテル本体２０が弾性力で復元するので、バルーン３０内の流体がカテーテル本体２０を通って外部へ排出され、バルーン３０が収縮する。
【００３４】
本実施例に係るバルーンカテーテル４０は、バルブ部材４０の上側エッジ片４２の他端と弾力性係止片４４との係止によってバルーン３０の膨張を保つことができ、また、上側エッジ片４２の他端と弾力性係止片４４との係止を解除することによりバルーン３０を収縮させることができ、バルーンカテーテル１０の使い勝手が良い。
【００３５】
また、本実施例に係るバルーンカテーテル１０は、バルブ部材４０の上側指当て部５２と下側指当て部４８を指で掴んで上側指当て部５２を押し下げることにより、簡単な操作で上側エッジ片４２と弾力性係止片４４との係止を解除できる。
【００３６】
さらにまた、上側エッジ片４２の表面に滑り止め用凸条４９を形成したので、上側エッジ片４２の他端を押し下げて弾力性係止片４４に係止するとき指が滑り難く、より一層使い勝手がより良くなる。
【００３７】
また、上側指当て部５０と下側指当て部４８にも滑り止め用凸条５２を形成したので、上側指当て部５０と下側指当て部４８を指で掴んで弾力性係止片４４との係止を解除するとき指が滑り難く、より一層使い勝手が良くなる。
【００３８】
下側エッジ片４１、上側エッジ片４２、弾力性連結片４３および弾力性係止片４４をＡＢＳ樹脂で一体成形するので、バルブ部材４０の構造が簡素になり製造コストを低減できる。
【００３９】
なお、本実施例に係るバルーンカテーテル１０は鼻腔用について説明したが、バルーン３０やカテーテル本体２０の径を変えることで、気管や消化器官に適用することも可能である。
また、カテーテル本体２０とバルーン３０の材質にポリ塩化ビニルを用い、バルブ部材４０にＡＢＳ樹脂を用いたが、これに代えて天然ゴムやシリコンゴムを用いることができる。
【符号の説明】
【００４０】
１０…バルーンカテーテル
２０…カテーテル本体
２１…気体通路
２３…微少通孔
３０…バルーン
３１…バルーン本体
４０…バルブ部材
４１…下側エッジ片
４２…上側エッジ片
４２ａ…滑り止め用凸条
４３…弾力性連結片
４４…弾力性係止片
４５…下側エッジ部
４６…上側エッジ部
４７…第１通孔
４８…下側指当て部
４９…係止部
５０…上側指当て部
５１…第２通孔
５２…滑り止め用凸条
【図１】
2012130552.tif 000003
【図２】
2012130552.tif 000004
【図３】
2012130552.tif 000005
【図４】
2012130552.tif 000006